(57)【要約】【課題】複数のキャラクターから成るキャラクター列の印刷データに基づいてテープ状部材に印刷する場合に、キャラクター単位で切断された複数の個別ラベルを作成することができるラベル作成装置等を提供する。【解決手段】複数のキャラクターから成るキャラクター列の印刷データに基づいて、印刷テープをテープ長さ方向に送りながら、印刷テープの長さ方向に複数のキャラクターが並ぶように、印刷テープにキャラクター列を印刷する印刷部と、送られてきた印刷テープをテープ幅方向に切断する切断部と、キャラクター単位で印刷テープを切断するように、切断部を制御する切断制御部と、を備え、キャラクター単位で切断された複数の個別ラベルＬｂを作成する。【選択図】図４
2014188801.tif 000002
【特許請求の範囲】
【請求項１】
複数のキャラクターから成るキャラクター列の印刷データに基づいて、テープ状部材をテープ長さ方向に送りながら、前記テープ状部材の長さ方向に前記複数のキャラクターが並ぶように、前記テープ状部材に前記キャラクター列を印刷する印刷部と、
送られてきた前記テープ状部材をテープ幅方向に切断する切断部と、
前記キャラクター単位で前記テープ状部材を切断するように、前記切断部を制御する切断制御部と、
を備えたことを特徴とするラベル作成装置。
【請求項２】
前記キャラクター列が前記キャラクター単位で切断された複数の個別ラベルを作成する個別ラベル機能の実行を、ユーザーに指示させる個別ラベル指示部を、さらに備え、
前記切断制御部は、前記個別ラベル機能の実行が指示された場合に、前記キャラクター単位で前記テープ状部材を切断するように、前記切断部を制御し、前記個別ラベル機能の実行が指示されていない場合に、前記キャラクター列全体として前記テープ状部材を切り離すように、前記切断部を制御することを特徴とする請求項１に記載のラベル作成装置。
【請求項３】
前記印刷データにおける前記キャラクター同士の間隔よりも、前記キャラクター同士の間隔を短くして、前記キャラクター列を印刷する間隔縮小印刷機能の実行を、ユーザーに指示させる間隔縮小指示部と、
前記間隔縮小印刷機能の実行が指示された場合に、前記印刷データにおける前記キャラクター同士の間隔よりも、前記キャラクター同士の間隔を短くして、前記キャラクター列を印刷するように、前記印刷部を制御し、前記間隔縮小印刷機能の実行が指示されていない場合に、前記印刷データにおける前記キャラクター同士の間隔どおりに前記キャラクター列を印刷するように、前記印刷部を制御する印刷制御部と、
をさらに備えたことを特徴とする請求項１または２に記載のラベル作成装置。
【請求項４】
前記間隔縮小指示部は、前記間隔縮小印刷機能の実行をユーザーに指示させるための間隔縮小指示画面を表示する表示部を、有し、
前記テープ状部材のテープ幅より大きな印刷画像の一部である分割印刷画像が印刷された部分ラベルを複数貼り合せることによって前記印刷画像を形成するための拡大印刷機能の実行を、ユーザーに指示させる拡大印刷指示部を、さらに備え、
前記表示部は、前記間隔縮小指示画面を、前記拡大印刷機能の実行の指示に伴って、表示することを特徴とする請求項３に記載のラベル作成装置。
【請求項５】
テープ状部材に印刷を行ってラベルを作成するラベル作成装置によるラベル作成方法であって、
複数のキャラクターから成るキャラクター列の印刷データに基づいて、前記テープ状部材を前記テープ状部材の長さ方向に送りながら、前記テープ状部材の長さ方向に前記複数のキャラクターが並ぶように、前記テープ状部材に前記キャラクター列を印刷する印刷ステップと、
送られてきた前記テープ状部材を幅方向に切断する切断ステップと、を備え、
前記切断ステップにおいて、前記キャラクター単位で前記テープ状部材を切断することを特徴とするラベル作成装置によるラベル作成方法。
【発明の詳細な説明】
【技術分野】
【０００１】
本発明は、テープ状部材にキャラクターを印刷し、印刷済み部分を切り離すことで、キャラクターが印刷されたラベルを作成するラベル作成装置、および該ラベル作成装置によるラベル作成方法に関するものである。
【背景技術】
【０００２】
従来、複数のキャラクター（文字、記号、図形等）から成るキャラクター列の印刷データに基づいて、テープ状部材を長さ方向に送りながら、テープ状部材の長さ方向に複数のキャラクターが並ぶように、テープ状部材にキャラクター列を印刷する印刷部と、送られてきたテープ状部材を幅方向に切断するカッターユニットと、を備えたテープ印刷装置が知られている。このテープ印刷装置は、テープ状部材の印刷済み部分を、カッターユニットによって切り離すことで、印刷が為されたテープ片、すなわちラベルを作成する（特許文献１参照）。
【先行技術文献】
【特許文献】
【０００３】
【特許文献１】特開２０１２−１２１２１６号公報
【発明の概要】
【発明が解決しようとする課題】
【０００４】
ところで、複数のキャラクターから成るキャラクター列を印刷する場合であっても、キャラクター単位で切断された複数の個別ラベルを作成した方が便利な場合がある。例えば、複数のキャラクターを、真っ直ぐに並べて表示するのではなく、ジグザグに並ぶように相互にずらして表示する場合、キャラクターごとに斜めに傾けて表示する場合、タイル張りの壁面に対し、個別ラベルをタイルに一対一に対応させて貼付する場合などである。
しかしながら、従来のテープ印刷装置（ラベル作成装置）は、複数のキャラクターから成るキャラクター列の印刷データに基づいてテープ状部材に印刷する場合、全キャラクターが印刷されたラベルを作成することしかできなかった。このため、キャラクター単位で切断された複数の個別ラベルを得るためには、ユーザーが、全キャラクターが印刷されたラベルを、ハサミ等でキャラクター単位に切断するか、或いは、キャラクターごとに印刷データを作成して印刷処理を行う必要があり、手間を要していた。
【０００５】
本発明は、複数のキャラクターから成るキャラクター列の印刷データに基づいてテープ状部材に印刷する場合に、キャラクター単位で切断された複数の個別ラベルを作成することができるラベル作成装置およびラベル作成方法を提供することを課題としている。
【課題を解決するための手段】
【０００６】
本発明のラベル作成装置は、複数のキャラクターから成るキャラクター列の印刷データに基づいて、テープ状部材をテープ長さ方向に送りながら、テープ状部材の長さ方向に複数のキャラクターが並ぶように、テープ状部材にキャラクター列を印刷する印刷部と、送られてきたテープ状部材をテープ幅方向に切断する切断部と、キャラクター単位でテープ状部材を切断するように、切断部を制御する切断制御部と、を備えたことを特徴とする。
【０００７】
本発明のラベル作成装置によるラベル作成方法は、テープ状部材に印刷を行ってラベルを作成するラベル作成装置によるラベル作成方法であって、複数のキャラクターから成るキャラクター列の印刷データに基づいて、テープ状部材をテープ状部材の長さ方向に送りながら、テープ状部材の長さ方向に複数のキャラクターが並ぶように、テープ状部材にキャラクター列を印刷する印刷ステップと、送られてきたテープ状部材を幅方向に切断する切断ステップと、を備え、切断ステップにおいて、キャラクター単位でテープ状部材を切断することを特徴とする。
【０００８】
この構成によれば、切断部が、キャラクター単位でテープ状部材を切断することで、複数のキャラクターから成るキャラクター列の印刷データに基づいてテープ状部材に印刷する場合にも、キャラクター単位で切断された複数の個別ラベルを作成することができる。
【０００９】
この場合、キャラクター列がキャラクター単位で切断された複数の個別ラベルを作成する個別ラベル機能の実行を、ユーザーに指示させる個別ラベル指示部を、さらに備え、切断制御部は、個別ラベル機能の実行が指示された場合に、キャラクター単位でテープ状部材を切断するように、切断部を制御し、個別ラベル機能の実行が指示されていない場合に、キャラクター列全体としてテープ状部材を切り離すように、切断部を制御することが好ましい。
【００１０】
この構成によれば、ユーザーにより個別ラベル機能の実行が指示された場合は、キャラクター単位で切断された複数の個別ラベルを作成し、ユーザーにより個別ラベル機能の実行が指示されていない場合は、全キャラクターが印刷されたラベルを作成する。このため、ユーザーにとっては、使用目的に応じて、キャラクター単位で切断された複数の個別ラベルを得るか、全キャラクターが印刷されたラベルを得るかを、使い分けることができ、利便性を向上させることができる。
【００１１】
この場合、印刷データにおけるキャラクター同士の間隔よりも、キャラクター同士の間隔を短くして、キャラクター列を印刷する間隔縮小印刷機能の実行を、ユーザーに指示させる間隔縮小指示部と、間隔縮小印刷機能の実行が指示された場合に、印刷データにおけるキャラクター同士の間隔よりも、キャラクター同士の間隔を短くして、キャラクター列を印刷するように、印刷部を制御し、間隔縮小印刷機能の実行が指示されていない場合に、印刷データにおけるキャラクター同士の間隔どおりにキャラクター列を印刷するように、印刷部を制御する印刷制御部と、をさらに備えたことが好ましい。
【００１２】
この構成によれば、ユーザーにより間隔縮小印刷機能の実行が指示された場合に、印刷部が、印刷データにおけるキャラクター同士の間隔よりも間隔を短くして、キャラクター列を印刷する。このため、キャラクター単位で切断された各個別ラベルにおいては、キャラクター同士の間隔を短くした分、キャラクター画像の前後の余白が短くなる。したがって、テープ状部材の消費量を削減することができる。
【００１３】
この場合、間隔縮小指示部は、間隔縮小印刷機能の実行をユーザーに指示させるための間隔縮小指示画面を表示する表示部を、有し、テープ状部材のテープ幅より大きな印刷画像の一部である分割印刷画像が印刷された部分ラベルを複数貼り合せることによって印刷画像を形成するための拡大印刷機能の実行を、ユーザーに指示させる拡大印刷指示部を、さらに備え、表示部は、間隔縮小指示画面を、拡大印刷機能の実行の指示に伴って、表示することが好ましい。
【００１４】
印刷データにおけるキャラクター同士の間隔は、特に、拡大印刷機能を実行する場合に広くなる。このため、間隔縮小印刷機能によるテープ消費量の削減の効果は、拡大印刷機能を実行する場合に、特に高くなる。
この点、本構成によれば、表示部が、間隔縮小指示画面を、拡大印刷機能の実行の指示に伴って、表示するため、拡大印刷機能の実行の指示がない場合には、間隔縮小指示画面を表示することがない。したがって、テープ消費量の削減の効果がさほど高くない場合には、間隔縮小指示画面を表示することがないため、印刷実行までに要する処理手順を簡素化することができる。
【図面の簡単な説明】
【００１５】
【図１】テープ印刷装置およびテープカートリッジの斜視図である。
【図２】テープ印刷装置の制御構成を示すブロック図である。
【図３】テープ印刷装置において拡大印刷機能の実行をユーザーに指示させるための画面遷移を示す図である。
【図４】テープ印刷装置において個別ラベル機能および間隔縮小印刷機能の実行をユーザーに指示させるための画面遷移、および該指示に基づいて作成されたラベルを示す図である。
【図５】キャラクター単位で切断された複数の個別ラベルの貼付例を示す図である。
【発明を実施するための形態】
【００１６】
以下、添付の図面を参照しながら、本発明の一実施形態に係るラベル作成装置について説明する。本実施形態のラベル作成装置は、印刷テープにキャラクター（文字、記号、図形等）を印刷し、印刷済み部分を切り離すことで、キャラクターが印刷されたラベルを作成するものである。
【００１７】
図１に示すように、ラベル作成装置１０は、印刷テープＴが繰出し可能に収容されたテープカートリッジ１１が装着され、テープカートリッジ１１から印刷テープＴを繰り出しながらこれに印刷を行うことで、印刷が為された印刷テープＴを作成するものである。
【００１８】
ラベル作成装置１０に装着されるテープカートリッジ１１は、印刷テープＴと、インクリボン１２と、プラテンローラー１３と、これらを収容したカートリッジケース１４とを有している。カートリッジケース１４には、後述する印刷ヘッド３２が挿通するヘッド開口１５が上下に貫通形成されている。
【００１９】
印刷テープＴは、テープ本体Ｔａと、テープ本体Ｔａの裏側に粘着剤を介して貼着された剥離テープＴｂとで構成されている。印刷テープＴは、繰り出し可能にテープコア１６に巻回されている。繰り出された印刷テープＴは、カートリッジケース１４の左側壁に形成されたテープ送出口１７からカートリッジケース１４外に送り出される。
【００２０】
インクリボン１２は、リボン繰出リール１８に繰出し可能に巻回されている。繰り出されたインクリボン１２は、リボン巻取リール１９に巻き取られる。プラテンローラー１３は、ヘッド開口１５に挿通した印刷ヘッド３２に対峙するように設けられている。
【００２１】
プラテンローラー１３は、ラベル作成装置１０によって回転駆動され、印刷ヘッド３２との間に挟持した印刷テープＴおよびインクリボン１２を回転送りする。
【００２２】
ラベル作成装置１０は、装置ケース２１により外殻が形成され、装置ケース２１の前半部上面には、キーボード２５が広く配設されている。装置ケース２１の後半部上面には、テープカートリッジ１１が着脱可能に装着されるカートリッジ装着部２２が凹設されている。カートリッジ装着部２２には、これを開閉する開閉蓋２３が設けられている。また、カートリッジ装着部２２の右側には、表示部２４が設けられている。
【００２３】
キーボード２５には、文字や記号等を入力・編集するための文字キー２６と、各種選択および確定処理等を行うための機能キー２７とが設けられている。機能キー２７は、表示部２４に表示されるカーソルや選択候補を上下左右に移動するカーソルキー２８、機能選択時の選択肢や、文字の入力、変換を確定する選択キー２９、後述する拡大印刷機能などの特殊印刷機能の実行を指示する特殊印刷キー３０、印刷開始を指示する印刷キー３１などから構成されている。
【００２４】
表示部２４は、例えば液晶ディスプレイで構成されており、ユーザーが、キーボード２５を用いて文字や記号等を入力する際や、各種選択肢を選択する際などに用いられる。
【００２５】
カートリッジ装着部２２には、サーマルタイプの印刷ヘッド３２と、テープカートリッジ１１内のプラテンローラー１３に係合してこれを回転させるプラテン駆動軸３３と、テープカートリッジ１１の装着を案内するガイド突起３４と、リボン巻取リール１９に係合してこれを回転させるリボン巻取駆動軸３５とがそれぞれ突設されている。
【００２６】
カートリッジ装着部２２の裏側には、プラテン駆動軸３３およびリボン巻取駆動軸３５を回転させる送りモーター３６（図２参照）が内蔵されている。また、装置ケース２１の内部には、後述する制御部４０（図２参照）などを構成する回路基板が搭載されている。
【００２７】
装置ケース２１の左側部には、上下に長いスリット状のテープ排出口３７が形成されている。テープ排出口３７は、カートリッジ装着部２２に連なっており、カートリッジ装着部２２に装着されたテープカートリッジ１１から繰り出された印刷テープＴが、テープ排出口３７から装置外に排出される。
【００２８】
カートリッジ装着部２２とテープ排出口３７との間には、カッターユニット３８が内蔵されている。カッターユニット３８は、送られてきた印刷テープＴをテープ幅方向に切断するテープカッター３９、テープカッター３９を切断動作させるカッターモーター４６などで構成されている（図２参照）。
【００２９】
図２を参照し、ラベル作成装置１０の制御構成について説明する。ラベル作成装置１０は、制御部４０と、表示部２４と、キーボード２５と、送りモーター３６と、印刷ヘッド３２と、カッターモーター４６とを備えている。これらの各構成要素は、バス４４を介して接続されている。
【００３０】
制御部４０は、ＣＰＵ４１（Central Processing Unit）と、ＲＡＭ４２（Random Access Memory）と、ＲＯＭ４３（Read Only Memory）とを有している。ＣＰＵ４１は、各種演算処理を行う。ＲＡＭ４２は、ＣＰＵ４１が各種演算処理を行う際の作業領域として用いられる。ＲＯＭ４３は、ＣＰＵ４１が演算処理を行うために用いられる制御プログラムおよび制御データを記憶している。
【００３１】
ここで、ラベル作成装置１０における一連の印刷・切断処理について簡単に説明する。まず、ユーザーが、テープカートリッジ１１をカートリッジ装着部２２に装着する。また、ユーザーが、表示部２４で入力結果を確認しながら、キーボード２５により所望のキャラクター列を編集する。制御部４０は、入力内容に基づいて、印刷データを作成する。
【００３２】
ユーザーが印刷キー３１を操作すると、制御部４０は、印刷データに基づいて送りモーター３６を駆動すると共に、印刷データに基づいて印刷ヘッド３２を発熱駆動する。これにより、プラテンローラー１３および印刷ヘッド３２が協働して、テープカートリッジ１１から印刷テープＴを繰り出してテープ長さ方向に送りながら、印刷テープＴ（テープ本体Ｔａ）に対して印刷を行う。複数のキャラクターから成るキャラクター列の印刷データに基づいて印刷を行う場合、印刷テープＴの長さ方向に複数のキャラクターが並ぶように、印刷テープＴにキャラクター列を印刷する。また、制御部４０は、印刷データに基づいてカッターモーター４６を駆動する。これにより、テープカッター３９が、送られてきた印刷テープＴの印刷済み部分を切り離す。このようにして、ラベル作成装置１０は、キャラクター列が印刷されたラベルＬ（図４参照）を作成する。
【００３３】
ところで、ラベル作成装置１０は、個別ラベル機能および間隔縮小印刷機能を備えている。ここで、個別ラベル機能とは、複数のキャラクターから成るキャラクター列の印刷データに基づいて印刷を行う際に、キャラクター列がキャラクター単位で切断された複数の個別ラベルＬｂを作成する機能のことである。また、間隔縮小印刷機能とは、印刷データにおけるキャラクター同士の間隔よりも、キャラクター同士の間隔を短くして、キャラクター列を印刷テープＴに印刷する機能のことである。
【００３４】
以下、図３および図４を参照して、ラベル作成装置１０における個別ラベル機能および間隔縮小印刷機能について具体的に説明する。なお、ここでは、ユーザーが、拡大印刷機能により、テープ幅よりも大きな印刷画像（３倍印刷）の一部である分割印刷画像が印刷された部分ラベルＬａを貼り合せることによって、キャラクター列「ＴＯＫＹＯ」を表示したラベルＬを作成する予定であるものとする。
【００３５】
まず、ユーザーが、表示部２４に表示されたテキスト編集画面５１を参照しつつ、キーボード２５の文字キー２６により、キャラクター列「ＴＯＫＹＯ」を入力する（図３（ａ）参照）。続いて、ユーザーが、拡大印刷機能を実行するため、特殊印刷キー３０を操作すると、制御部４０は、特殊印刷指定画面５２を表示部２４に表示する（図３（ｂ）参照）。ユーザーが、特殊印刷指定画面５２において「拡大印刷」を選択すると、制御部４０は、拡大倍率をユーザーに指定させるための倍率指定画面５３を表示部２４に表示する（図３（ｃ）参照）。
【００３６】
ここでは、３倍印刷の予定であるため、ユーザーは、倍率指定画面５３において「３倍印刷」を選択する。拡大倍率が指定されると、制御部４０は、特殊印刷指定画面５２を再び表示部２４に表示する（図３（ｄ）参照）。ユーザーが、特殊印刷指定画面５２において「印刷実行？」を選択すると、制御部４０は、個別ラベル機能を実行するか否かをユーザーに指示させるための個別ラベル指示画面５４を表示部２４に表示する（図４（ａ）参照）。具体的には、個別ラベル指示画面５４において、「１文字ずつ印刷しますか？」といった表示をする。
【００３７】
ユーザーが、個別ラベル指示画面５４において「はい」を選択（個別ラベル機能の実行を指示）すると、制御部４０は、間隔縮小印刷機能を実行するか否かをユーザーに指示させるための間隔縮小指示画面５５を表示部２４に表示する（図４（ｂ）参照）。具体的には、間隔縮小指示画面５５において、「文字間の空白を削除しますか？」といった表示をする。
【００３８】
ユーザーが、間隔縮小指示画面５５において「はい」を選択（間隔縮小印刷機能の実行を指示）すると、ラベル作成装置１０は、印刷・切断処理を開始する。この場合、ラベル作成装置１０は、印刷・切断処理において、拡大印刷機能を実行し、３倍拡大した印刷画像をテープ幅方向に３つに分割した分割印刷画像が印刷された３つの部分ラベルＬａを順次作成する。
【００３９】
さらに、ラベル作成装置１０は、各部分ラベルＬａの印刷・切断処理において、間隔縮小印刷機能および個別ラベル機能を実行する。すなわち、ラベル作成装置１０は、制御部４０が送りモーター３６および印刷ヘッド３２を制御して、印刷データにおけるキャラクター同士の間隔よりも、キャラクター同士の間隔を短くしたキャラクター列を、印刷テープＴに印刷する（間隔縮小印刷機能）。この場合、例えば、印刷テープＴに印刷するキャラクター同士の間隔を、設計上の最小のキャラクター間隔にする。さらに、ラベル作成装置１０は、制御部４０が送りモーター３６およびカッターモーター４６を制御して、テープカッター３９によりキャラクター単位で印刷テープＴを切断する（個別ラベル機能）。このようにして、ラベル作成装置１０は、各部分ラベルＬａについて、キャラクター列がキャラクター単位で切断された５つのテープ片Ｌｃを作成する。ユーザーは、キャラクターごとに、３つのテープ片Ｌｃを貼り合せることで、５つの個別ラベルＬｂを得る。各個別ラベルＬｂは、キャラクター同士の間隔を短くした分、キャラクター画像の前後の余白が短くなる（図４（ｃ）参照）。
【００４０】
また、ユーザーが、個別ラベル指示画面５４において「はい」を選択した後、間隔縮小指示画面５５において「いいえ」を選択（間隔縮小印刷機能の実行を不指示）すると、ラベル作成装置１０は、印刷・切断処理を開始する。この場合、ラベル作成装置１０は、各部分ラベルＬａの印刷・切断処理において、個別ラベル機能を実行するが、間隔縮小印刷機能は実行しない。すなわち、ラベル作成装置１０は、制御部４０が送りモーター３６および印刷ヘッド３２を制御して、印刷データにおけるキャラクター同士の間隔どおりに、キャラクター列を印刷テープＴに印刷する。一方、ラベル作成装置１０は、上記と同様に、キャラクター単位で印刷テープＴを切断する。これにより、ラベル作成装置１０は、各部分ラベルＬａについて、キャラクター列がキャラクター単位で切断された５つのテープ片Ｌｃを作成する。ユーザーは、キャラクターごとに、３つのテープ片Ｌｃを貼り合せることで、５つの個別ラベルＬｂを得る。各個別ラベルＬｂは、間隔縮小印刷機能を実行した場合に比べ、キャラクター画像の前後の余白が長くなる（図４（ｄ）参照）。
【００４１】
一方、ユーザーが、個別ラベル指示画面５４において「いいえ」を選択（個別ラベル機能の実行を不指示）すると、ラベル作成装置１０は、間隔縮小指示画面５５を表示することなく、印刷・切断処理を開始する。この場合、ラベル作成装置１０は、各部分ラベルＬａの印刷・切断処理において、間隔縮小印刷機能および個別ラベル機能を実行しない。すなわち、ラベル作成装置１０は、制御部４０が送りモーター３６および印刷ヘッド３２を制御して、印刷データにおけるキャラクター同士の間隔どおりに、キャラクター列を印刷テープＴに印刷する。さらに、ラベル作成装置１０は、制御部４０が送りモーター３６およびカッターモーター４６を制御して、キャラクター列全体として印刷テープＴを切り離す。このようにして、ラベル作成装置１０は、全キャラクター（のそれぞれの一部）が印刷された部分ラベルＬａを作成する（図４（ｅ）参照）。
【００４２】
以上のように、本実施形態のラベル作成装置１０によれば、テープカッター３９が、キャラクター単位で印刷テープＴを切断することで、複数のキャラクターから成るキャラクター列の印刷データに基づいてテープ状部材に印刷する場合にも、キャラクター単位で切断された複数の個別ラベルＬｂを作成することができる。
【００４３】
図５に示したように、キャラクター単位で切断された複数のラベルＬを作成することで、複数のキャラクターを、真っ直ぐに並べて表示するのではなく、ジグザグに並ぶように相互にずらして表示することができる（図５（ａ）参照）。また、キャラクターごとに斜めに傾けて表示することも可能である（図５（ｂ）参照）。さらに、タイル張りの壁面に対し、タイル１０１間の目地部分１０２（凹部）で印刷テープＴが浮くことがないよう、個別ラベルＬｂをタイル１０１に一対一に対応させて貼付することも可能である（図５（ｃ）参照）。
【００４４】
また、ラベル作成装置１０は、個別ラベル指示画面５４において、ユーザーにより個別ラベル機能の実行が指示された場合は、キャラクター単位で切断された複数の個別ラベルＬｂを作成し、ユーザーにより個別ラベル機能の実行が指示されていない場合は、全キャラクターが印刷されたラベルＬを作成する。このため、ユーザーにとっては、使用目的に応じて、キャラクター単位で切断された複数の個別ラベルＬｂを得るか、全キャラクターが印刷されたラベルＬを得るかを、使い分けることができ、利便性を向上させることができる。
【００４５】
さらに、ラベル作成装置１０は、間隔縮小指示画面５５において、ユーザーにより間隔縮小印刷機能の実行が指示された場合に、印刷データにおけるキャラクター同士の間隔よりも間隔を短くして、キャラクター列を印刷する。このため、キャラクター単位で切断された各個別ラベルＬｂは、キャラクター同士の間隔を短くした分、キャラクター画像の前後の余白が短くなる。したがって、印刷テープＴの消費量を削減することができる。
【００４６】
なお、本実施形態では、拡大印刷機能を実行する場合において、ユーザーの指示に基づいて、間隔縮小印刷機能および個別ラベル機能を実行する場合について説明したが、これに限定されるものではなく、拡大印刷機能を実行しない場合においても、間隔縮小印刷機能および個別ラベル機能を実行してもよい。この場合、例えば、特殊印刷指定画面５２における「印刷実行？」の選択操作に代えて、印刷キー３１或いは他の機能キー２７の操作に伴って、制御部４０が、個別ラベル指示画面５４を表示部２４に表示するようにすればよい。
【００４７】
拡大印刷機能を実行する場合、例えば「３倍印刷」を選択した場合は、キャラクター同士の間隔も３倍となる。そのため、間隔縮小印刷機能によるテープ消費量の削減の効果は、拡大印刷機能を実行する場合に、特に高くなるが、拡大印刷機能を実行しない場合においても、テープ消費量を削減することができる。特に、ユーザーがテープ長を指定すると共に、比較的少数のキャラクターから成るキャラクター列を均等割付けしたような場合には、拡大印刷機能を実行しなくとも、キャラクター同士の間隔が比較的広くなるため、間隔縮小印刷機能によるテープ量削減の効果が高い。
【００４８】
もっとも、ラベル作成装置１０は、拡大印刷機能を実行しない場合には、個別ラベル指示画面５４において個別ラベル機能の実行が指示された後、間隔縮小指示画面５５を表示することなく、印刷・切断処理を開始するようにしてもよい。すなわち、表示部２４が、間隔縮小指示画面５５を、拡大印刷機能の実行の指示に伴って、表示する構成とし、拡大印刷機能の実行の指示がない場合には、間隔縮小指示画面５５を表示しない構成としてもよい。これにより、テープ消費量の削減の効果がさほど高くない場合には、間隔縮小指示画面５５を表示することなく印刷・切断処理を開始することで、印刷実行までに要する処理手順を簡素化することができる。
【符号の説明】
【００４９】
１０：ラベル作成装置、１３：プラテンローラー、３２：印刷ヘッド、３８：カッターユニット、４０：制御部、Ｌｂ：個別ラベル、Ｔ：印刷テープ
【図１】
2014188801.tif 000003
【図２】
2014188801.tif 000004
【図３】
2014188801.tif 000005
【図４】
2014188801.tif 000006
【図５】
2014188801.tif 000007